(57)【要約】【課題】ＥＳＲの微調整を精度良く且つ簡易に行うことが可能な積層コンデンサを提供すること。【解決手段】内部接続導体３１は、積層方向から見て第三側面Ｌｅに臨む輪郭部分Ｐ１を有する。輪郭部分Ｐ１は、直線部分Ｐ１ａ，Ｐ１ｂと直線部分Ｐ１ａ，Ｐ１ｂを連結する線部分Ｐ１ｃとを含む。内部接続導体３３は、積層方向から見て第四側面Ｌｆに臨む輪郭部分Ｐ２を有する。輪郭部分Ｐ２は、直線部分Ｐ２ａ、Ｐ２ｂと直線部分Ｐ２ａ、Ｐ２ｂを連結する線部分Ｐ２ｃとを含む。線部分Ｐ１ｃ，Ｐ２ｃの曲率が変わると、直線部分Ｐ１ａ，Ｐ１ｂと線部分Ｐ１ｃとの連結位置及び直線部分Ｐ２ａ、Ｐ２ｂと線部分Ｐ２ｃとの連結位置が変わり、内部接続導体３１，３３における端子電極と外部接続導体との間の電流経路ＣＰ１，ＣＰ２の長さが変わる。これにより、積層コンデンサのＥＳＲが調整されて、所望の値に設定される。【選択図】図５
2013235976.tif 000002
【特許請求の範囲】
【請求項１】
複数の誘電体層が積層された素体と、
前記素体の第一側面に配置された第一端子電極と、
前記素体の前記第一側面に対向する第二側面に配置された第二端子電極と、
前記素体の第三側面に配置された第一外部接続導体と、
前記素体の前記第三側面に対向する第四側面に配置された第二外部接続導体と、
前記第三側面に引き出されて前記第一外部接続導体に接続される第一内部電極と、前記第四側面に引き出されて前記第二外部接続導体に接続される第二内部電極と、を有する静電容量部と、
前記第一側面に引き出されて前記第一端子電極に接続されると共に前記第三側面に引き出されて前記第一外部接続導体に接続される第一内部接続導体と、前記第二側面に引き出されて前記第二端子電極に接続されると共に前記第四側面に引き出されて前記第二外部接続導体に接続される第二内部接続導体と、を有する等価直列抵抗制御部と、を備え、
前記第一内部接続導体は、前記素体内に位置する輪郭の一部として、前記複数の誘電体の積層方向から見て前記第三側面に臨む第一輪郭部分を有し、
前記第二内部接続導体は、前記素体内に位置する輪郭の一部として、前記積層方向から見て前記第四側面に臨む第二輪郭部分を有し、
前記第一輪郭部分と前記第二輪郭部分とは、前記第一側面と前記第二側面との第一対向方向に延びる直線部分と、前記第三側面と前記第四側面との第二対向方向に延びる直線部分と、これらの前記直線部分同士を連結する線部分と、をそれぞれ含み、
少なくとも一方の前記直線部分と前記線部分との連結位置が調整されることにより、等価直列抵抗が所望の値に設定されていることを特徴とする積層コンデンサ。
【請求項２】
前記線部分が、湾曲していることを特徴とする請求項１に記載の積層コンデンサ。
【請求項３】
前記第一輪郭部分における前記直線部分と前記線部分との連結位置と、前記第二輪郭部分における前記直線部分と前記線部分との連結位置と、が異なっていることを特徴とする請求項１又は２に記載の積層コンデンサ。
【発明の詳細な説明】
【技術分野】
【０００１】
本発明は、積層コンデンサに関する。
【背景技術】
【０００２】
積層コンデンサとして、複数の誘電体層が積層された素体と、素体の第一側面に配置された第一端子電極と、素体の第一側面に対向する第二側面に配置された第二端子電極と、素体の第三側面に配置された第一外部接続導体と、素体の第三側面に対向する第四側面に配置された第二外部接続導体と、第三側面に引き出されて第一外部接続導体に接続される第一内部電極と、第四側面に引き出されて第二外部接続導体に接続される第二内部電極と、を有する静電容量部と、第一側面に引き出されて第一端子電極に接続されると共に第三側面に引き出されて第一外部接続導体に接続される第一内部接続導体と、第二側面に引き出されて第二端子電極に接続されると共に第四側面に引き出されて第二外部接続導体に接続される第二内部接続導体と、を有する等価直列抵抗制御部と、を備えたものが知られている（たとえば、特許文献１参照）。
【０００３】
上述した構成を備える積層コンデンサでは、静電容量部において、第一内部電極が第一外部接続導体に接続され、第二内部電極が第二外部接続導体に接続され、等価直列抵抗制御部において、第一内部接続導体が第一端子電極と第一外部接続導体とにそれぞれ接続され、第二内部接続導体が第二端子電極と第二外部接続導体とにそれぞれ接続されている。したがって、第一内部電極が並列に接続された第一外部接続導体が第一端子電極に直列に接続されると共に、第二内部電極が並列に接続された第二外部接続導体が第二端子電極に直列に接続されるので、対応する端子電極にすべての内部電極が並列接続されている積層コンデンサと比較して高い等価直列抵抗（ＥＳＲ：Equivalent  Series  Resistance）が実現される。
【先行技術文献】
【特許文献】
【０００４】
【特許文献１】特開２００３−１６８６２１号公報
【発明の概要】
【発明が解決しようとする課題】
【０００５】
本発明は、ＥＳＲの微調整を精度良く且つ簡易に行うことが可能な積層コンデンサを提供することを目的とする。
【課題を解決するための手段】
【０００６】
本発明に係る積層コンデンサは、複数の誘電体層が積層された素体と、素体の第一側面に配置された第一端子電極と、素体の第一側面に対向する第二側面に配置された第二端子電極と、素体の第三側面に配置された第一外部接続導体と、素体の第三側面に対向する第四側面に配置された第二外部接続導体と、第三側面に引き出されて第一外部接続導体に接続される第一内部電極と、第四側面に引き出されて第二外部接続導体に接続される第二内部電極と、を有する静電容量部と、第一側面に引き出されて第一端子電極に接続されると共に第三側面に引き出されて第一外部接続導体に接続される第一内部接続導体と、第二側面に引き出されて第二端子電極に接続されると共に第四側面に引き出されて第二外部接続導体に接続される第二内部接続導体と、を有する等価直列抵抗制御部と、を備え、第一内部接続導体は、素体内に位置する輪郭の一部として、複数の誘電体の積層方向から見て第三側面に臨む第一輪郭部分を有し、第二内部接続導体は、素体内に位置する輪郭の一部として、積層方向から見て第四側面に臨む第二輪郭部分を有し、第一輪郭部分と第二輪郭部分とは、第一側面と第二側面との第一対向方向に延びる直線部分と、第三側面と第四側面との第二対向方向に延びる直線部分と、これらの直線部分同士を連結する線部分と、をそれぞれ含み、少なくとも一方の直線部分と線部分との連結位置が調整されることにより、等価直列抵抗が所望の値に設定されていることを特徴とする。
【０００７】
本発明に係る積層コンデンサでは、第一内部接続導体において、第一輪郭部分に含まれる少なくとも一方の直線部分と線部分との連結位置が調整されることにより、第一端子電極と第一外部接続導体との間の電流経路の長さが変わることとなる。同様に、第二内部接続導体において、第二輪郭部分に含まれる少なくとも一方の直線部分と線部分との連結位置が調整されることにより、第二端子電極と第二外部接続導体との間の電流経路の長さが変わることとなる。これらにより、積層コンデンサの等価直列抵抗が調整されて、所望の値に設定される。上述した電流経路が長くなることにより、等価直列抵抗が高い値に調整され、上述した電流経路が短くなることにより、等価直列抵抗が低い値に調整される。このように、本発明では、第一及び第二内部接続導体において、第一輪郭部分と第二輪郭部分とに含まれる少なくとも一方の直線部分と線部分との連結位置が調整されるという極めて簡易な構成にて、等価直列抵抗の微調整を精度良く行うことができる。
【０００８】
線部分が、湾曲していてもよい。この場合、第一輪郭部分と第二輪郭部分との線部分が、内部構造欠陥の起点となるのを防ぐことができる。ところで、線部分が湾曲している場合、線部分の曲率が変わることにより、直線部分と線部分との連結位置が調整されることとなる。曲率が小さくなることにより、電流経路が長くなって、等価直列抵抗が高い値に調整され、曲率が大きくなることにより、電流経路が短くなって、等価直列抵抗が低い値に調整される。
【０００９】
第一輪郭部分における直線部分と線部分との連結位置と、第二輪郭部分における直線部分と線部分との連結位置と、が異なっていてもよい。この場合、等価直列抵抗の微調整をより一層精度良く行うことができる。
【発明の効果】
【００１０】
本発明によれば、ＥＳＲの微調整を精度良く且つ簡易に行うことが可能な積層コンデンサを提供することができる。
【図面の簡単な説明】
【００１１】
【図１】本実施形態に係る積層コンデンサを示す斜視図である。
【図２】素体の構成を示す分解斜視図である。
【図３】図１におけるIII−III線に沿った断面構成を説明するための図である。
【図４】静電容量部が有する内部電極を示す平面図である。
【図５】等価直列抵抗制御部が有する内部接続導体を示す平面図である。
【図６】等価直列抵抗制御部が有する内部電極を示す平面図である。
【図７】内部接続導体を示す平面図である。
【図８】内部接続導体を示す平面図である。
【図９】本実施形態の変形例における内部接続導体を示す平面図である。
【図１０】本実施形態の変形例における内部接続導体を示す平面図である。
【図１１】本実施形態の変形例における内部接続導体を示す平面図である。
【図１２】本実施形態の変形例における内部接続導体を示す平面図である。
【図１３】本実施形態の変形例における内部接続導体を示す平面図である。
【図１４】本実施形態の変形例における内部接続導体を示す平面図である。
【図１５】本実施形態の変形例における内部接続導体を示す平面図である。
【図１６】本実施形態の変形例における内部接続導体を示す平面図である。
【発明を実施するための形態】
【００１２】
以下、添付図面を参照して、本発明の好適な実施形態について詳細に説明する。なお、説明において、同一要素又は同一機能を有する要素には、同一符号を用いることとし、重複する説明は省略する。
【００１３】
まず、図１〜図３を参照して、本実施形態に係る積層コンデンサＣの構成を説明する。図１は、本実施形態に係る積層コンデンサを示す斜視図である。図２は、素体の構成を示す分解斜視図である。図３は、図１におけるIII−III線に沿った断面構成を説明するための図である。
【００１４】
図１に示されるように、積層コンデンサＣは、誘電特性を有する素体Ｌと、素体Ｌの外表面に配置された、一対の端子電極１，２及び一対の外部接続導体３，４を備えている。
【００１５】
素体Ｌは、図１に示されるように、略直方体形状であり、その外表面として、対向する略長方形状の第一及び第二主面Ｌａ，Ｌｂと、対向する第一及び第二側面Ｌｃ，Ｌｄと、対向する第三及び第四側面Ｌｅ，Ｌｆと、を有する。第一及び第二側面Ｌｃ，Ｌｄは、第一及び第二主面間を連結するように第一及び第二主面Ｌａ，Ｌｂの短辺方向に伸びている。第三及び第四側面Ｌｅ，Ｌｆは、第一及び第二主面間を連結するように第一及び第二主面Ｌａ，Ｌｂの長辺方向に伸びている。素体Ｌは、隣り合う二つの面Ｌａ，Ｌｂ，Ｌｃ，Ｌｄ，Ｌｅ，Ｌｆの間に位置する稜線部分を含んでいる。各稜線部分は、湾曲するように丸められており、いわゆるＲ面取り加工が施されている。
【００１６】
端子電極１は、素体Ｌの第一側面Ｌｃに配置されている。端子電極１は、第一側面Ｌｃ全面を覆うように、第一及び第二主面Ｌａ，Ｌｂ並びに第三及び第四側面Ｌｅ，Ｌｆの端部（第一側面Ｌｃ側の端部）に亘って形成されている。端子電極２は、素体Ｌの第二側面Ｌｄに配置されている。端子電極２は、第二側面Ｌｄ全面を覆うように、第一及び第二主面Ｌａ，Ｌｂ並びに第三及び第四側面Ｌｅ，Ｌｆの端部（第二側面Ｌｄ側の端部）に亘って形成されている。一対の端子電極１，２は、第一及び第二側面Ｌｃ，Ｌｄの対向方向に対向している。
【００１７】
外部接続導体３は、素体Ｌの第三側面Ｌｅに配置されている。外部接続導体３は、第三側面Ｌｅの第一及び第二側面Ｌｃ，Ｌｄの対向方向の略中央を、第一及び第二主面Ｌａ，Ｌｂの対向方向に沿って横断するように覆っている。外部接続導体３は、さらに第一及び第二主面Ｌａ，Ｌｂの第三側面Ｌｅ側の端部の一部も覆っている。
【００１８】
外部接続導体４は、素体Ｌの第四側面Ｌｆに配置されている。外部接続導体４は、第四側面Ｌｆの第一及び第二側面Ｌｃ，Ｌｄの対向方向の略中央を、第一及び第二主面Ｌａ，Ｌｂの対向方向に沿って横断するように覆っている。外部接続導体４は、さらに第一及び第二主面Ｌａ，Ｌｂの第四側面Ｌｆ側の端部の一部も覆っている。一対の外部接続導体３，４は、第三及び第四側面Ｌｅ，Ｌｆの対向方向に対向している。
【００１９】
端子電極１，２及び外部接続導体３，４は、たとえば導電性金属粉末及びガラスフリットを含む導電性ペーストを素体Ｌの外表面に付与し、焼き付けることによって形成される。必要に応じて、焼き付けられた電極及び導体の上にめっき層が形成されることもある。端子電極１，２及び外部接続導体３，４は、離間して配置されており、素体Ｌの表面上において互いに電気的に絶縁されている。
【００２０】
積層コンデンサＣでは、第一主面Ｌａ又は第二主面Ｌｂを、電子機器（たとえば、回路基板や電子部品など）に対する実装面として電子機器に実装する。素体Ｌの第二主面Ｌｂが回路基板Ｂと対向するように積層コンデンサＣを実装する場合、端子電極１，２を、回路基板Ｂ上に配置された配線パッドＷＰ１，ＷＰ２に接続する。外部接続導体３，４は、回路基板Ｂ上に配置された配線パッドには接続されない。配線パッドＷＰ１，ＷＰ２は、回路基板Ｂ上に形成された配線に接続されている。すなわち、端子電極１，２のみが配線と電気的に接続されることとなり、外部接続導体３，４は配線と電気的に接続されていない。外部接続導体３，４は、配線と電気的に絶縁されている配線パッドであれば、当該配線パッドに接続されていてもよい。
【００２１】
素体Ｌは、図２及び図３に示されるように、第一及び第二主面Ｌａ，Ｌｂの対向方向に複数の誘電体層７が積層されて構成されている。素体Ｌでは、第一及び第二主面Ｌａ，Ｌｂの対向方向が、複数の誘電体層の積層方向（以下、単に「積層方向」と称する）である。各誘電体層７は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。実際の素体Ｌでは、各誘電体層７の間の境界が視認できない程度に一体化されている。
【００２２】
積層コンデンサＣは、静電容量部１１と、一対の等価直列抵抗制御部（以下、「ＥＳＲ制御部」と称する）１３，１５と、を有している。一対のＥＳＲ制御部１３，１５は、第一及び第二主面Ｌａ，Ｌｂの対向方向、すなわち積層方向で静電容量部１１を挟んでいる。ＥＳＲ制御部１３は、静電容量部１１と第一主面Ｌａとの間に位置し、ＥＳＲ制御部１５は、静電容量部１１と第二主面Ｌｂとの間に位置している。静電容量部１１が、積層コンデンサＣの静電容量成分の形成に主として寄与する。
【００２３】
静電容量部１１は、複数の内部電極２１及び複数の内部電極２３を有している。静電容量部１１は、これらの内部電極２１，２３が誘電体層７を介して配置されることにより形成されている。素体Ｌ内において、内部電極２１と内部電極２３とは、第一主面Ｌａと第二主面Ｌｂとの対向方向（積層方向）に間隔を有して対向するように交互に配置されている。
【００２４】
各内部電極２１は、図４に示されるように、略矩形形状を呈した主電極部２１ａと、主電極部２１ａの一辺から延び第三側面Ｌｅに引き出されて露出する引出部２１ｂと、を含んでいる。内部電極２１は、素体Ｌ内に位置する各角部が湾曲するように丸められている。外部接続導体３は、各引出部２１ｂの第三側面Ｌｅに露出した部分をすべて覆うように形成されており、引出部２１ｂは、外部接続導体３に直接的に接続される。これにより、各内部電極２１は、外部接続導体３を通して互いに電気的に接続されることとなる。
【００２５】
各内部電極２３は、図４に示されるように、略矩形形状を呈すると共に主電極部２１ａと対向する主電極部２３ａと、主電極部２３ａの一辺から延び第四側面Ｌｆに引き出されて露出する引出部２３ｂと、を含んでいる。内部電極２３も、素体Ｌ内に位置する各角部が湾曲するように丸められている。誘電体層７のうち、内部電極２１の主電極部２１ａと内部電極２３の主電極部２３ａとに重なる部分は、静電容量成分を実質的に生じさせる領域となる。外部接続導体４は、各引出部２３ｂの第四側面Ｌｆに露出した部分をすべて覆うように形成されており、引出部２３ｂは、外部接続導体４に直接的に接続される。これにより、各内部電極２３は、外部接続導体４を通して互いに電気的に接続されることとなる。
【００２６】
ＥＳＲ制御部１３，１５は、複数の内部接続導体３１，３３及び複数の内部電極３５，３７をそれぞれ有している。ＥＳＲ制御部１３，１５は、これらの内部接続導体３１，３３及び内部電極３５，３７が誘電体層７を介して配置されることにより形成されている。素体Ｌ内において、内部接続導体３１，３３及び内部電極３５，３７は、第一主面Ｌａと第二主面Ｌｂとの対向方向（積層方向）に間隔を有して互いに対向するように配置されている。本実施形態では、内部接続導体３１，３３及び内部電極３５，３７は、第一主面Ｌａから第二主面Ｌｂに向かう方向で、内部接続導体３１、内部電極３７、内部電極３５、内部接続導体３３の順で配置されている。
【００２７】
内部接続導体３１は、図５に示されるように、略矩形形状を呈した主導体部３１ａと、主導体部３１ａから第一方向に延びて第三側面Ｌｅに引き出されて露出する引出部３１ｂと、第一側面Ｌｃに引き出されて露出する引出部３１ｃと、第二方向に延びて主導体部３１ａと引出部３１ｃとを連結する連結部３１ｄと、を含んでいる。連結部３１ｄは、主導体部３１ａにおける第四側面Ｌｆ側の端部と、引出部３１ｃにおける第四側面Ｌｆ側の端部と、に接続されている。すなわち、連結部３１ｄは、主導体部３１ａにおける引出部３１ｂから遠い側の端部に接続されている。第一方向は、第四側面Ｌｆから第三側面Ｌｅに向かう方向である。第二方向は、第一側面Ｌｃと第二側面Ｌｄとが対向している方向である。内部接続導体３１は、素体Ｌ内に位置する各角部が湾曲するように丸められている。
【００２８】
外部接続導体３は、引出部３１ｂの第三側面Ｌｅに露出した部分もすべて覆うように形成されており、引出部３１ｂも、外部接続導体３に直接的に接続される。端子電極１は、引出部３１ｃの第一側面Ｌｃに露出した部分をすべて覆うように形成されており、引出部３１ｃは、端子電極１に直接的に接続される。これにより、端子電極１と外部接続導体３とは、内部接続導体３１を通して互いに電気的に接続されることとなる。内部接続導体３１は、外部接続導体３を通して内部電極２１と電気的に接続されることとなる。
【００２９】
内部接続導体３３は、図５に示されるように、略矩形形状を呈した主導体部３３ａと、主導体部３３ａから第三方向に延びて第四側面Ｌｆに引き出されて露出する引出部３３ｂと、第二側面Ｌｄに引き出されて露出する引出部３３ｃと、第四方向に延びて主導体部３３ａと引出部３３ｃとを連結する連結部３３ｄと、を含んでいる。連結部３３ｄは、主導体部３３ａにおける第三側面Ｌｅ側の端部と、引出部３３ｃにおける第三側面Ｌｅ側の端部と、に接続されている。すなわち、連結部３３ｄは、主導体部３３ａにおける引出部３３ｂから遠い側の端部に接続されている。第三方向は、第一方向とは反対の方向であり、第三側面Ｌｅから第四側面Ｌｆに向かう方向である。第四方向は、第二方向と同じであり、第一側面Ｌｃと第二側面Ｌｄとが対向している方向である。内部接続導体３３は、素体Ｌ内に位置する各角部が湾曲するように丸められている。
【００３０】
外部接続導体４は、引出部３３ｂの第四側面Ｌｆに露出した部分もすべて覆うように形成されており、引出部３３ｂも、外部接続導体４に直接的に接続される。端子電極２は、引出部３３ｃの第二側面Ｌｄに露出した部分をすべて覆うように形成されており、引出部３３ｃは、端子電極２に直接的に接続される。これにより、端子電極２と外部接続導体４とは、内部接続導体３３を通して互いに電気的に接続されることとなる。内部接続導体３３は、外部接続導体４を通して内部電極２３と電気的に接続されることとなる。
【００３１】
内部電極３５は、図６に示されるように、略矩形形状を呈した主電極部３５ａと、主電極部３５ａの一辺から延び第三側面Ｌｅに引き出されて露出する引出部３５ｂと、を含んでいる。内部電極３５は、素体Ｌ内に位置する各角部が湾曲するように丸められている。外部接続導体３は、各引出部３５ｂの第三側面Ｌｅに露出した部分もすべて覆うように形成されており、引出部３５ｂは、外部接続導体３に直接的に接続される。これにより、内部電極３５は、外部接続導体３を通して、内部電極２１と内部接続導体３１とに電気的に接続されることとなる。内部電極２１，３５は、外部接続導体３のみに接続されている。
【００３２】
内部電極３７は、図６に示されるように、略矩形形状を呈すると共に主電極部３５ａと対向する主電極部３７ａと、主電極部３７ａの一辺から延び第四側面Ｌｆに引き出されて露出する引出部３７ｂと、を含んでいる。内部電極３７も、素体Ｌ内に位置する各角部が湾曲するように丸められている。外部接続導体４は、各引出部３７ｂの第四側面Ｌｆに露出した部分もすべて覆うように形成されており、引出部３７ｂは、外部接続導体４に直接的に接続される。これにより、内部電極３７は、外部接続導体４を通して、内部電極２３と内部接続導体３３とに電気的に接続されることとなる。内部電極２３，３７は、外部接続導体４のみに接続されている。
【００３３】
誘電体層７のうち、内部接続導体３１の主導体部３１ａと内部電極３７の主電極部３７ａとに重なる部分、内部電極３７の主電極部３７ａと内部電極３５の主電極部３５ａとに重なる部分、及び内部電極３５の主電極部３５ａと内部接続導体３３の主導体部３３ａとに重なる部分は、静電容量成分を実質的に生じさせる領域となる。すなわち、本実施形態では、静電容量部１１だけでなく、各ＥＳＲ制御部１３，１５においても、静電容量成分が形成される。
【００３４】
図５に示されるように、連結部３１ｄ，３３ｄの第二方向（第四方向）での長さｌ３１ｄ，ｌ３３ｄは、引出部３１ｂ，３３ｂの第一方向（第三方向）での長さｌ３１ｂ，ｌ３３ｂよりも長い。連結部３１ｄ，３３ｄの第二方向（第四方向）に直交する方向での幅ｗ３１ｄ，ｗ３３ｄは、主導体部３１ａ，３３ａの第二方向（第四方向）に直交する方向での幅ｗ３１ａ，ｗ３３ａよりも狭い。
【００３５】
引出部３１ｃ，３３ｃの第二方向（第四方向）に直交する方向での幅ｗ３１ｃ，ｗ３３ｃは、連結部３１ｄ，３３ｄの幅ｗ３１ｄ，ｗ３３ｄよりも広い。本実施形態では、引出部３１ｃ，３３ｃの幅ｗ３１ｃ，ｗ３３ｃは、主導体部３１ａ，３３ａの幅ｗ３１ａ，ｗ３３ａと同等である。
【００３６】
内部接続導体３１は、素体Ｌ内に位置する輪郭の一部として、積層方向から見て第三側面Ｌｅに臨む輪郭部分Ｐ１を有している。この輪郭部分Ｐ１は、主導体部３１ａ、連結部３１ｄ、及び主導体部３１ａと連結部３１ｄとで成す角部のそれぞれの輪郭からなる。すなわち、輪郭部分Ｐ１は、図７に示されるように、主導体部３１ａの輪郭である直線部分Ｐ１ａと、連結部３１ｄの輪郭である直線部分Ｐ１ｂと、主導体部３１ａと連結部３１ｄとで成す角部の輪郭である線部分Ｐ１ｃと、からなる。
【００３７】
角部の輪郭である線部分Ｐ１ｃは、直線部分Ｐ１ａ，Ｐ１ｂがそれぞれ延びる方向から外れる方向に延びて、直線部分Ｐ１ａと直線部分Ｐ１ｂとを連結している。本実施形態では、線部分Ｐ１ｃは、上述したように湾曲している。角部は、積層方向から見て、引出部３１ｂが引き出された第三側面Ｌｅに臨んでいる。
【００３８】
線部分Ｐ１ｃの曲率が変わることにより、直線部分Ｐ１ａと線部分Ｐ１ｃの連結位置及び直線部分Ｐ１ｂと線部分Ｐ１ｃの連結位置が変わることとなる。これにより、図７に示されるように、内部接続導体３１における端子電極１と外部接続導体３との間の電流経路ＣＰ１の長さが変わることとなる。たとえば、図７の（ａ）に示されるように、線部分Ｐ１ｃの曲率が大きくなると、電流経路ＣＰ１の長さは短くなり、図７の（ｃ）に示されるように、線部分Ｐ１ｃの曲率が小さくなると、電流経路ＣＰ１の長さは長くなる。
【００３９】
内部接続導体３３は、素体Ｌ内に位置する輪郭の一部として、積層方向から見て第四側面Ｌｆに臨む輪郭部分Ｐ２を有している。この輪郭部分Ｐ２は、主導体部３３ａ、連結部３３ｄ、及び主導体部３３ａと連結部３３ｄとで成す角部のそれぞれの輪郭からなる。すなわち、輪郭部分Ｐ２は、図８に示されるように、主導体部３３ａの輪郭である直線部分Ｐ２ａと、連結部３３ｄの輪郭である直線部分Ｐ２ｂと、角部の輪郭である線部分Ｐ２ｃと、からなる。
【００４０】
角部の輪郭である線部分Ｐ２ｃは、直線部分Ｐ２ａ，Ｐ２ｂがそれぞれ延びる方向から外れる方向に延びて、直線部分Ｐ２ａと直線部分Ｐ２ｂとを連結している。本実施形態では、線部分Ｐ２ｃは、上述したように湾曲している。主導体部３３ａと連結部３３ｄとで成す角部は、積層方向から見て、引出部３３ｂが引き出された第四側面Ｌｆに臨んでいる。
【００４１】
線部分Ｐ２ｃの曲率が変わることにより、直線部分Ｐ２ａと線部分Ｐ２ｃの連結位置及び直線部分Ｐ２ｂと線部分Ｐ２ｃの連結位置が変わることとなる。これにより、図８に示されるように、内部接続導体３３における端子電極２と外部接続導体４との間の電流経路ＣＰ２の長さが変わることとなる。たとえば、図８の（ａ）に示されるように、線部分Ｐ２ｃの曲率が大きくなると、電流経路ＣＰ２の長さは短くなり、図８の（ｃ）に示されるように、線部分Ｐ２ｃの曲率が小さくなると、電流経路ＣＰ２の長さは長くなる。
【００４２】
図７の（ａ）に示された内部接続導体３１が採用されると共に、図８の（ａ）に示された内部接続導体３３が採用された積層コンデンサＣは、図７の（ｂ）に示された内部接続導体３１が採用されると共に、図８の（ｂ）に示された内部接続導体３３が採用された積層コンデンサＣよりも、電流経路ＣＰ１の長さの差に起因して、ＥＳＲが低い値に調整される。図７の（ｃ）に示された内部接続導体３１が採用されると共に、図８の（ｃ）に示された内部接続導体３３が採用された積層コンデンサＣは、図７の（ｂ）に示された内部接続導体３１が採用されると共に、図８の（ｂ）に示された内部接続導体３３が採用された積層コンデンサＣよりも、電流経路ＣＰ１の長さの差に起因して、ＥＳＲが高い値に調整される。
【００４３】
以上のように、本実施形態では、静電容量部１１において内部電極２１，２３が対応する外部接続導体３，４にのみ接続され、ＥＳＲ制御部１３，１５において内部接続導体３１，３３が対応する端子電極１，２及び外部接続導体３，４にそれぞれ接続されている。したがって、内部電極２１，２３が並列に接続された外部接続導体３，４が端子電極１，２に直列に接続されるので、積層コンデンサＣでは、対応する端子電極にすべての内部電極が並列接続されている積層コンデンサと比較して高ＥＳＲが実現される。
【００４４】
ところで、本実施形態では、内部接続導体３１において、輪郭部分Ｐ１に含まれる直線部分Ｐ１ａ，Ｐ１ｂと線部分Ｐ１ｃとの連結位置が調整されることにより、端子電極１と外部接続導体３との間の電流経路ＣＰ１の長さが変わることとなる。同様に、内部接続導体３３において、輪郭部分Ｐ２に含まれる直線部分Ｐ２ａ，Ｐ２ｂと線部分Ｐ２ｃとの連結位置が調整されることにより、端子電極２と外部接続導体４との間の電流経路ＣＰ２の長さが変わることとなる。これらにより、積層コンデンサＣのＥＳＲが調整されて、所望の値に設定される。電流経路ＣＰ１，ＣＰ２が長くなることにより、ＥＳＲが高い値に調整され、電流経路ＣＰ１，ＣＰ２が短くなることにより、ＥＳＲが低い値に調整される。したがって、積層コンデンサＣでは、内部接続導体３１，３３において、輪郭部分Ｐ１と輪郭部分Ｐ２とに含まれる直線部分Ｐ１ａ，Ｐ１ｂ，Ｐ２ａ，Ｐ２ｂと線部分Ｐ１ｃ，Ｐ２ｃとの連結位置が調整されるという極めて簡易な構成にて、ＥＳＲの微調整を精度良く行うことができる。
【００４５】
内部接続導体３１，３３における線部分Ｐ１ｃ，Ｐ２ｃ近傍には、積層コンデンサＣ製造工程、特にグリーンシートの積層工程において、空気が残り易く、空隙が生じやすい。近傍に空隙が生じている線部分Ｐ１ｃ，Ｐ２ｃは、内部構造欠陥の起点になる。これに対して、線部分Ｐ１ｃ，Ｐ２ｃが湾曲していることにより、グリーンシートの積層工程において空気が残り難くなり、空隙が生じるのを抑制することができる。したがって、線部分Ｐ１ｃ，Ｐ２ｃが内部構造欠陥の起点となるのを防ぐことができる。
【００４６】
線部分Ｐ１ｃ，Ｐ２ｃが湾曲している場合、線部分Ｐ１ｃ，Ｐ２ｃの曲率が変わることにより、直線部分Ｐ１ａ，Ｐ１ｂ，Ｐ２ａ，Ｐ２ｂと線部分Ｐ１ｃ，Ｐ２ｃとの連結位置が調整されることとなる。線部分Ｐ１ｃ，Ｐ２ｃの曲率が小さくなることにより、電流経路ＣＰ１，ＣＰ２が長くなって、ＥＳＲが高い値に調整され、線部分Ｐ１ｃ，Ｐ２ｃの曲率が大きくなることにより、電流経路ＣＰ１，ＣＰ２が短くなって、ＥＳＲが低い値に調整される。
【００４７】
連結部３１ｄ，３３ｄの長さｌ３１ｄ，ｌ３３ｄは、引出部３１ｂ，３３ｂの長さｌ３１ｂ，ｌ３３ｂよりも長い。連結部３１ｄ，３３ｄの幅ｗ３１ｄ，ｗ３３ｄは、主導体部３１ａ，３３ａの幅ｗ３１ａ，ｗ３３ａよりも狭い。したがって、内部接続導体３１，３３の連結部３１ｄ，３３ｄにおいて、電流経路が絞られることとなり、より高いＥＳＲを得ることができる。
【００４８】
引出部３１ｃ，３３ｃの幅ｗ３１ｃ，ｗ３３ｃは、連結部３１ｄ，３３ｄの幅ｗ３１ｄ，ｗ３３ｄよりも広い。これにより、内部接続導体３１，３３と端子電極１，２との接続面積が増加することとなり、内部接続導体３１，３３と端子電極１，２との電気的接続をより一層確実に確保することができる。
【００４９】
ＥＳＲ制御部１３，１５は、積層方向において静電容量部１１を間に挟むように互いに離れて配置されている。これにより、積層コンデンサＣを実装する際の積層方向での方向性がなくなり、実装の作業性を向上させることができる。
【００５０】
続いて、図９〜図１４を参照して、本実施形態の変形例に係る積層コンデンサの構成を説明する。図９〜図１４は、本実施形態の変形例における内部接続導体を示す平面図である。
【００５１】
本変形例においては、積層コンデンサＣは、ＥＳＲ制御部１３，１５が図９〜図１４に示された内部接続導体３１，３３を有している。内部接続導体３１と内部接続導体３３とは、線部分Ｐ１ｃ，Ｐ２ｃの曲率が異なっている。すなわち、内部接続導体３１と内部接続導体３３とは、直線部分Ｐ１ａ，Ｐ１ｂと線部分Ｐ１ｃの連結位置と直線部分Ｐ２ａ，Ｐ２ｂと線部分Ｐ２ｃの連結位置とが異なっている。
【００５２】
図９に示された変形例に係る積層コンデンサＣでは、内部接続導体３１として、図７の（ｂ）に示された内部接続導体３１が採用され、内部接続導体３３として、図８の（ａ）に示された内部接続導体３３が採用されている。図１０に示された変形例に係る積層コンデンサＣでは、内部接続導体３１として、図７の（ａ）に示された内部接続導体３１が採用され、内部接続導体３３として、図８の（ｂ）に示された内部接続導体３３が採用されている。図９に示された変形例に係る積層コンデンサＣと図１０に示された変形例に係る積層コンデンサＣとでは、ＥＳＲが同等である。
【００５３】
図１１に示された変形例に係る積層コンデンサＣでは、内部接続導体３１として、図７の（ｃ）に示された内部接続導体３１が採用され、内部接続導体３３として、図８の（ａ）に示された内部接続導体３３が採用されている。図１２に示された変形例に係る積層コンデンサＣでは、内部接続導体３１として、図７の（ａ）に示された内部接続導体３１が採用され、内部接続導体３３として、図８の（ｃ）に示された内部接続導体３３が採用されている。図１１に示された変形例に係る積層コンデンサＣと図１２に示された変形例に係る積層コンデンサＣとでは、ＥＳＲが同等である。
【００５４】
図１３に示された変形例に係る積層コンデンサＣでは、内部接続導体３１として、図７の（ｃ）に示された内部接続導体３１が採用され、内部接続導体３３として、図８の（ｂ）に示された内部接続導体３３が採用されている。図１４に示された変形例に係る積層コンデンサＣでは、内部接続導体３１として、図７の（ｂ）に示された内部接続導体３１が採用され、内部接続導体３３として、図８の（ｃ）に示された内部接続導体３３が採用されている。図１３に示された変形例に係る積層コンデンサＣと図１４に示された変形例に係る積層コンデンサＣとでは、ＥＳＲが同等である。
【００５５】
図９〜図１４に示された内部接続導体３１，３３を有している積層コンデンサＣでは、図９に示された変形例に係る積層コンデンサＣ（図１０に示された変形例に係る積層コンデンサＣ）、図１１に示された変形例に係る積層コンデンサＣ（図１２に示された変形例に係る積層コンデンサＣ）、図１３に示された変形例に係る積層コンデンサＣ（図１４に示された変形例に係る積層コンデンサＣ）、の順にＥＳＲが高い値に調整される。
【００５６】
図９に示された変形例に係る積層コンデンサＣ（図１０に示された変形例に係る積層コンデンサＣ）は、内部接続導体３１として、図７の（ａ）に示された内部接続導体３１が採用されると共に、内部接続導体３３として、図８の（ａ）に示された内部接続導体３３が採用された積層コンデンサＣよりも、ＥＳＲが高い値に調整される。図１３に示された変形例に係る積層コンデンサＣ（図１４に示された変形例に係る積層コンデンサＣ）は、内部接続導体３１として、図７の（ｃ）に示された内部接続導体３１が採用されると共に、内部接続導体３３として、図８の（ｃ）に示された内部接続導体３３が採用された積層コンデンサＣよりも、ＥＳＲが低い値に調整される。
【００５７】
本変形例では、輪郭部分Ｐ１における直線部分Ｐ１ａ，Ｐ１ｂと線部分Ｐ１ｃの連結位置と、輪郭部分Ｐ２における直線部分Ｐ２ａ，Ｐ２ｂと線部分Ｐ２ｃの連結位置と、が異なっている。これにより、ＥＳＲの微調整をより一層精度良く行うことができる。
【００５８】
以上、本発明の好適な実施形態について説明してきたが、本発明は必ずしも上述した実施形態に限定されるものではなく、その要旨を逸脱しない範囲で様々な変更が可能である。
【００５９】
内部接続導体３１，３３の形状は、図７〜図１４に示された形状に限られない。内部接続導体３１，３３の形状は、たとえば、図１５及び図１６に示されるような形状であってもよい。図１５に示された内部接続導体３１，３３は、連結部３１ｄ，３３ｄの第一方向（第三方向）での位置、すなわち、連結部３１ｄ，３３ｄの第三側面Ｌｅと第四側面Ｌｆとの対向方向での位置に関して、図７〜図１４に示された内部接続導体３１，３３と相違する。図１６に示された内部接続導体３１，３３は、連結部３１ｄ，３３ｄの幅ｗ３１ｄ，ｗ３３ｄが引出部３１ｃ，３３ｃの幅ｗ３１ｃ，ｗ３３ｃ及び主導体部３１ａ，３３ａの幅ｗ３１ａ，ｗ３３ａと同等である点で、図７〜図１４に示された内部接続導体３１，３３と相違する。図１５に示された内部接続導体３１，３３においても、図７〜図１４に示されるように、線部分Ｐ１ｃ，Ｐ２ｃの曲率（直線部分Ｐ１ａ，Ｐ１ｂと線部分Ｐ１ｃの連結位置と直線部分Ｐ２ａ，Ｐ２ｂと線部分Ｐ２ｃの連結位置）が異なることにより、ＥＳＲの値が所望の値に微調整される。
【００６０】
線部分Ｐ１ｃ，Ｐ２ｃの曲率は、図７〜図１４に示された曲率に限られることなく、ＥＳＲの所望の値に応じて設定される。また、線部分Ｐ１ｃ，Ｐ２ｃの形状は、湾曲した形状に限られることなく、直線状であってもよい。この場合でも、線部分Ｐ１ｃは、直線部分Ｐ１ａ，Ｐ１ｂがそれぞれ延びる方向から外れる方向に延びて、直線部分Ｐ１ａと直線部分Ｐ１ｂとを連結し、線部分Ｐ２ｃは、直線部分Ｐ２ａ，Ｐ２ｂがそれぞれ延びる方向から外れる方向に延びて、直線部分Ｐ２ａと直線部分Ｐ２ｂとを連結する。
【００６１】
本実施形態及び変形例に係る積層コンデンサＣは、一対のＥＳＲ制御部１３，１５を有しているが、これに限られない。積層コンデンサＣは、一対のＥＳＲ制御部１３，１５のうちいずれか一方のみを備えていてもよい。
【符号の説明】
【００６２】
１，２…端子電極、３，４…外部接続導体、７…誘電体層、１１…静電容量部、１３…等価直列抵抗（ＥＳＲ）制御部、２１，２３…内部電極、３１，３３…内部接続導体、３５，３７…内部電極、Ｃ…積層コンデンサ、Ｌ…素体、Ｐ１，Ｐ２…輪郭部分、Ｐ１ａ，Ｐ１ｂ，Ｐ２ａ，Ｐ２ｂ…直線部分、Ｐ１ｃ，Ｐ２ｃ…線部分。
【図１】
2013235976.tif 000003
【図２】
2013235976.tif 000004
【図３】
2013235976.tif 000005
【図４】
2013235976.tif 000006
【図５】
2013235976.tif 000007
【図６】
2013235976.tif 000008
【図７】
2013235976.tif 000009
【図８】
2013235976.tif 000010
【図９】
2013235976.tif 000011
【図１０】
2013235976.tif 000012
【図１１】
2013235976.tif 000013
【図１２】
2013235976.tif 000014
【図１３】
2013235976.tif 000015
【図１４】
2013235976.tif 000016
【図１５】
2013235976.tif 000017
【図１６】
2013235976.tif 000018